(57)【要約】      （修正有）【課題】データ処理装置からネットワーク上の複数の画像処理装置に分散して登録されているユーザのデータの内容確認や、そのデータに対する指示を行えるようにすることである。【解決手段】互いに複数の記憶領域を有する記憶手段を有す複数のＭＦＰ１０１〜１０３とＰＣ１０４とが通信可能な画像処理システムにおいて、ＰＣ１０４より複数のＭＦＰ１０１〜１０３の複数の記憶領域に格納されているデータを表示要求し、該表示要求された複数のデータを複数のＭＦＰ１０１〜１０３から取得し、該取得される複数のＭＦＰ１０１〜１０３に格納されている複数のデータの一覧を表示する構成を特徴とする。【選択図】図１
2006333302.tif 000002
【特許請求の範囲】
【請求項１】
互いに複数の記憶領域を有する記憶手段を有す複数の画像処理装置とデータ処理装置とが通信可能な画像処理システムであって、
前記データ処理装置は、
前記複数の画像処理装置の前記複数の記憶領域に格納されているデータを表示要求する表示要求手段と、
前記表示要求手段により表示要求された複数のデータを取得する取得手段と、
前記取得手段により取得されるいずれかの画像処理装置に格納されている複数のデータの一覧を表示する表示手段と、
を備えることを特徴とする画像処理システム。
【請求項２】
互いに複数の記憶領域を有する記憶手段を有す複数の画像処理装置とが通信可能な画像処理システムであって、
各画像処理装置は、
前記複数の画像処理装置の前記複数の記憶領域に格納されているデータを表示要求する表示要求手段と、
前記表示要求手段により表示要求された複数のデータを取得する取得手段と、
前記取得手段により取得されるいずれかの画像処理装置に格納されている複数のデータの一覧を表示する表示手段と、
を備えることを特徴とする画像処理システム。
【請求項３】
前記複数の画像処理装置は、互いにネットワーク通信手段を備え、ネットワークで接続されていることを特徴とする請求項１または２記載の画像処理システム。
【請求項４】
前記複数の画像処理装置が備える複数の記憶領域は、ユーザ別に確保されるパーソナルボックス領域で確保されていることを特徴とする請求項１または２記載の画像処理システム。
【請求項５】
前記複数の画像処理装置は、互いに前記パーソナルボックスへのアクセス権を設定するための登録手段を有することを特徴とする請求項１または２記載の画像処理システム。
【請求項６】
前記登録手段は、アクセス権としてＩＤとパスワードを登録することを特徴とする請求項１または２記載の画像処理システム。
【請求項７】
前記複数の画像処理装置は、互いに前記登録手段で登録したアクセス権を認証するための認証手段を備えることを特徴とする請求項１または２記載の画像処理システム。
【請求項８】
複数のパーソナルボックス領域には、各種ページ情報、サムネイル画像、原画像などを格納可能であることを特徴とする請求項１または２記載の画像処理システム。
【請求項９】
前記表示要求手段は、前記複数の画像処理装置の前記アクセス権を有するパーソナルボックスに対して表示要求を行うことを特徴とする請求項１または２記載の画像処理システム。
【請求項１０】
前記表示要求手段は、前記複数の画像処理装置中から選択されているいずれかの画像処理装置のうち、前記アクセス権を有するパーソナルボックスに対して表示要求を行うことを特徴とする請求項１または２記載の画像処理システム。
【請求項１１】
前記取得手段は、前記表示要求手段により表示要求した画像処理装置から応答があった場合に、パーソナルボックス領域に格納されているデータをダウンロードすることを特徴とする請求項１または２記載の画像処理システム。
【請求項１２】
前記表示手段は、前記取得手段によりダウンロードされる複数のデータの一覧を画像処理装置の所在とともに表示することを特徴とする請求項１または２記載の画像処理システム。
【請求項１３】
前記表示手段により、表示されたデータに対して、印刷、移動、削除などの制御命令を与える命令手段を備えることを特徴とする請求項１または２記載の画像処理システム。
【請求項１４】
互いに複数の記憶領域を有する記憶手段を有す複数の画像処理装置とデータ処理装置とが通信可能な画像処理システムにおける画像処理方法であって、
前記データ処理装置は、
前記複数の画像処理装置の前記複数の記憶領域に格納されているデータを表示要求する表示要求ステップと、
前記表示要求ステップにより表示要求された複数のデータを取得する取得ステップと、
前記取得ステップにより取得されるいずれかの画像処理装置に格納されている複数のデータの一覧を表示する表示ステップと、
を備えることを特徴とする画像処理方法。
【請求項１５】
互いに複数の記憶領域を有する記憶手段を有す複数の画像処理装置とが通信可能な画像処理システムにおける画像処理方法であって、
各画像処理装置は、
前記複数の画像処理装置の前記複数の記憶領域に格納されているデータを表示要求する表示要求ステップと、
前記表示要求ステップにより表示要求された複数のデータを取得する取得ステップと、
前記取得ステップにより取得されるいずれかの画像処理装置に格納されている複数のデータの一覧を表示する表示ステップと、
を備えることを特徴とする画像処理方法。
【請求項１６】
互いに複数の記憶領域を有する記憶手段を有す複数の画像処理装置と通信可能なデータ処理装置であって、
前記複数の画像処理装置の前記複数の記憶領域に格納されているデータを表示要求する表示要求手段と、
前記表示要求手段により表示要求された複数のデータを取得する取得手段と、
前記取得手段により取得されるいずれかの画像処理装置に格納されている複数のデータの一覧を表示する表示手段と、
を備えることを特徴とするデータ処理装置。
【請求項１７】
複数の記憶領域を有する第１の記憶手段を有し、互いに複数の記憶領域を有する第２の記憶手段を有する他の画像処理装置と通信可能な画像処理装置であって、
前記他の画像処理装置の前記複数の記憶領域に格納されているデータを表示要求する表示要求手段と、
前記表示要求手段により表示要求された複数のデータを取得する取得手段と、
前記取得手段により取得されるいずれかの画像処理装置に格納されている複数のデータの一覧を表示する表示手段と、
を備えることを特徴とする画像処理装置。
【請求項１８】
互いに複数の記憶領域を有する記憶手段を有す複数の画像処理装置と通信可能なデータ処理装置における画像処理方法であって、
前記複数の画像処理装置の前記複数の記憶領域に格納されているデータを表示要求する表示要求ステップと、
前記表示要求ステップにより表示要求された複数のデータを取得する取得ステップと、
前記取得ステップにより取得されるいずれかの画像処理装置に格納されている複数のデータの一覧を表示する表示ステップと、
を備えることを特徴とする画像処理方法。
【請求項１９】
複数の記憶領域を有する第１の記憶手段を有し、互いに複数の記憶領域を有する第２の記憶手段を有する他の画像処理装置と通信可能な画像処理装置における画像処理方法であって、
前記他の画像処理装置の前記複数の記憶領域に格納されているデータを表示要求する表示要求ステップと、
前記表示要求ステップにより表示要求された複数のデータを取得する取得ステップと、
前記取得ステップにより取得されるいずれかの画像処理装置に格納されている複数のデータの一覧を表示する表示ステップと、
を備えることを特徴とする画像処理方法。
【請求項２０】
請求項１４、１５、１８、１９のいずれかに記載の画像処理方法を実行させるためのプログラムを格納したことを特徴とするコンピュータが読み取り可能な記憶媒体。
【請求項２１】
請求項１４、１５、１８、１９のいずれかに記載の画像処理方法をコンピュータに実行させることを特徴とするプログラム。
【発明の詳細な説明】
【技術分野】
【０００１】
本発明は、互いに複数の記憶領域を有する記憶手段を有す複数の画像処理装置が相互に通信し、あるいはデータ処理装置を介して通信可能な画像処理システムに係り、画像処理装置に記憶されている情報を他の画像処理装置あるいはデータ処理装置でやり取りに関するものである。
【背景技術】
【０００２】
従来より、デジタル複写機等の画像処理装置（以下、ＭＦＰ）は、スキャナで読み取った原稿の画像データやホストコンピュータから送信したデータなどをＭＦＰのハードディスクなどの記憶媒体に記憶しておく機能が知られている。
【０００３】
ここで、記憶媒体に記憶されたデータは、必要に応じて自装置のプリンタから出力可能であり、ネットワークを介した送信も可能であるため、非常に便利である。この機能をボックス機能と称しており、一般にハードディスクは、複数の領域に分割され、個々の領域をパーソナルボックスと称している。パーソナルボックスは、他人と共有することも、個人だけで扱うことも可能であり、個人だけで扱う場合は、パーソナルボックスにＩＤとパスワードのようなアクセス権を登録しておくことがセキュリティ上好ましい。また、パーソナルボックスのアクセス権の設定は、ＭＦＰの操作部から設定することが可能である。
【０００４】
また、スキャン入力した画像を自機とネットワークに接続された他のデジタル複写機により自由にプリントし、また自機とネットワークに接続された他のデジタル複写機のボックスに自由に格納して、自機でコピーした文書を後に別複写機で追加部数プリント出力することが可能な画像処理システムが下記特許文献１に開示されている。
【特許文献１】特開２００４-０２３２４０号公報
【発明の開示】
【発明が解決しようとする課題】
【０００５】
ところで、上記のようなシステムを考えた場合、１人のユーザが複数のＭＦＰに複数のデータを保有していた場合、どのＭＦＰにどのようなデータを保有しているか等の管理が困難になる可能性が考えられる。
【０００６】
この様な場合に、個々のＭＦＰのハードディスクの情報を１台１台順に確かめていく方法は、非常に手間がかかり、対象となるＭＦＰの台数が増えると、検索処理も煩雑となり、分散して登録されている情報中から短時間に所望の情報を検索できないし、分散して各ＭＦＰに登録されているデータをリモートで削除等の処理ができないという課題が指摘されている。
【０００７】
本発明は、上記の問題点を解決するためになされたもので、本発明の第１の目的は、互いに複数の記憶領域を有する記憶手段を有す複数の画像処理装置とデータ処理装置とが通信可能な画像処理システムにおいて、前記データ処理装置より前記複数の画像処理装置の前記複数の記憶領域に格納されているデータを表示要求し、該表示要求された複数のデータをいずれかの画像処理装置から取得し、該取得されるいずれかの画像処理装置に格納されている複数のデータの一覧を表示することにより、リモートのデータ処理装置からネットワーク上の複数の画像処理装置に分散して登録されているユーザのデータの内容確認や、そのデータに対する指示を行える画像処理システム、画像処理方法およびコンピュータが読み取り可能なプログラムを格納した記憶媒体およびプログラムを提供することである。
【０００８】
第２の目的は、互いに複数の記憶領域を有する記憶手段を有す他の画像処理装置と画像処理装置とが通信可能な画像処理システムにおいて、いずれかの画像処理装置より他の複数の画像処理装置の前記複数の記憶領域に格納されているデータを表示要求し、該表示要求された複数のデータをいずれかの画像処理装置から取得し、該取得されるいずれかの画像処理装置に格納されている複数のデータの一覧を表示することにより、リモートのデータ処理装置からネットワーク上の複数の画像処理装置に分散して登録されているユーザのデータの内容確認や、そのデータに対する指示を行える画像処理システム、画像処理方法およびコンピュータが読み取り可能なプログラムを格納した記憶媒体およびプログラムを提供することである。
【０００９】
第３の目的は、互いに複数の記憶領域を有する記憶手段を有す複数の画像処理装置と通信可能なデータ処理装置において、前記データ処理装置より前記複数の画像処理装置の前記複数の記憶領域に格納されているデータを表示要求し、該表示要求された複数のデータをいずれかの画像処理装置から取得し、該取得されるいずれかの画像処理装置に格納されている複数のデータの一覧を表示することにより、リモートのデータ処理装置からネットワーク上の複数の画像処理装置に分散して登録されているユーザのデータの内容確認や、そのデータに対する指示を行えるデータ処理装置、画像処理方法およびコンピュータが読み取り可能なプログラムを格納した記憶媒体およびプログラムを提供することである。
【００１０】
第４の目的は、複数の記憶領域を有する第１の記憶手段を有し、互いに複数の記憶領域を有する第２の記憶手段を有する他の画像処理装置と通信可能な画像処理装置において、いずれかの画像処理装置より他の複数の画像処理装置の前記複数の記憶領域に格納されているデータを表示要求し、該表示要求された複数のデータをいずれかの画像処理装置から取得し、該取得されるいずれかの画像処理装置に格納されている複数のデータの一覧を表示することにより、リモートのデータ処理装置からネットワーク上の複数の画像処理装置に分散して登録されているユーザのデータの内容確認や、そのデータに対する指示を行える画像処理装置、画像処理方法およびコンピュータが読み取り可能なプログラムを格納した記憶媒体およびプログラムを提供することである。
【課題を解決するための手段】
【００１１】
上記目的を達成する本発明の画像処理システムは以下に示す構成を備える。
【００１２】
互いに複数の記憶領域を有する記憶手段を有す複数の画像処理装置とデータ処理装置とが通信可能な画像処理システムであって、前記データ処理装置は、前記複数の画像処理装置の前記複数の記憶領域に格納されているデータを表示要求する表示要求手段と、前記表示要求手段により表示要求された複数のデータを取得する取得手段と、前記取得手段により取得されるいずれかの画像処理装置に格納されている複数のデータの一覧を表示する表示手段とを備えることを特徴とする。
【００１３】
また、互いに複数の記憶領域を有する記憶手段を有す複数の画像処理装置とが通信可能な画像処理システムであって、各画像処理装置は、前記複数の画像処理装置の前記複数の記憶領域に格納されているデータを表示要求する表示要求手段と、前記表示要求手段により表示要求された複数のデータを取得する取得手段と、  前記取得手段により取得されるいずれかの画像処理装置に格納されている複数のデータの一覧を表示する表示手段とを備えることを特徴とする。
【００１４】
上記目的を達成する本発明のデータ処理装置は以下に示す構成を備える。
【００１５】
互いに複数の記憶領域を有する記憶手段を有す複数の画像処理装置と通信可能なデータ処理装置であって、前記複数の画像処理装置の前記複数の記憶領域に格納されているデータを表示要求する表示要求手段と、前記表示要求手段により表示要求された複数のデータを取得する取得手段と、前記取得手段により取得されるいずれかの画像処理装置に格納されている複数のデータの一覧を表示する表示手段とを備えることを特徴とする。
【００１６】
上記目的を達成する本発明の画像処理装置は以下に示す構成を備える。
【００１７】
複数の記憶領域を有する第１の記憶手段を有し、互いに複数の記憶領域を有する第２の記憶手段を有する他の画像処理装置と通信可能な画像処理装置であって、前記他の画像処理装置の前記複数の記憶領域に格納されているデータを表示要求する表示要求手段と、前記表示要求手段により表示要求された複数のデータを取得する取得手段と、前記取得手段により取得されるいずれかの画像処理装置に格納されている複数のデータの一覧を表示する表示手段とを備えることを特徴とする画像処理装置。
【００１８】
上記目的を達成する本発明の画像処理方法は以下に示す構成を備える。
【００１９】
互いに複数の記憶領域を有する記憶手段を有す複数の画像処理装置とデータ処理装置とが通信可能な画像処理システムにおける画像処理方法であって、前記データ処理装置は、前記複数の画像処理装置の前記複数の記憶領域に格納されているデータを表示要求する表示要求ステップと、前記表示要求ステップにより表示要求された複数のデータを取得する取得ステップと、前記取得ステップにより取得されるいずれかの画像処理装置に格納されている複数のデータの一覧を表示する表示ステップとを備えることを特徴とする画像処理方法。
【００２０】
また、互いに複数の記憶領域を有する記憶手段を有す複数の画像処理装置とが通信可能な画像処理システムにおける画像処理方法であって、  各画像処理装置は、前記複数の画像処理装置の前記複数の記憶領域に格納されているデータを表示要求する表示要求ステップと、前記表示要求ステップにより表示要求された複数のデータを取得する取得ステップと、前記取得ステップにより取得されるいずれかの画像処理装置に格納されている複数のデータの一覧を表示する表示ステップとを備えることを特徴とする。
【００２１】
また、互いに複数の記憶領域を有する記憶手段を有す複数の画像処理装置と通信可能なデータ処理装置における画像処理方法であって、前記複数の画像処理装置の前記複数の記憶領域に格納されているデータを表示要求する表示要求ステップと、前記表示要求ステップにより表示要求された複数のデータを取得する取得ステップと、前記取得ステップにより取得されるいずれかの画像処理装置に格納されている複数のデータの一覧を表示する表示ステップとを備えることを特徴とする。
【００２２】
さらに、複数の記憶領域を有する第１の記憶手段を有し、互いに複数の記憶領域を有する第２の記憶手段を有する他の画像処理装置と通信可能な画像処理装置における画像処理方法であって、前記他の画像処理装置の前記複数の記憶領域に格納されているデータを表示要求する表示要求ステップと、前記表示要求ステップにより表示要求された複数のデータを取得する取得ステップと、前記取得ステップにより取得されるいずれかの画像処理装置に格納されている複数のデータの一覧を表示する表示ステップとを備えることを特徴とする。
【発明の効果】
【００２３】
本発明によれば、複数の画像処理装置に格納されているデータを同一の画面上に表示することで、それらのデータに対する制御処理、例えば、閲覧やプリント、移動などの処理を、ユーザは容易に行うことが可能になる。
【発明を実施するための最良の形態】
【００２４】
次に本発明を実施するための最良の形態について図面を参照して説明する。
【００２５】
＜システム構成の説明＞
〔第１実施形態〕
以下、図面を参照して本発明の実施の形態を説明する。
【００２６】
ホストコンピュータと複数の画像処理装置（以下、ＭＦＰ）がネットワーク等の伝送媒体を介して接続されたシステムにおいて、ホストコンピュータ上のユーザーインターフェース（以下、ＵＩ）に、複数のＭＦＰのハードディスク等の記憶媒体に格納されている複数の画像データを表示する方法について説明する。
【００２７】
図１は、本発明の第１実施形態を示す画像処理システムの構成を示す概略図であり、ネットワーク通信機能を備えた複数のＭＦＰ１０１〜１０３とホストコンピュータ（以下、ＰＣ）１０４が、ネットワーク１０５等の伝送媒体で接続された環境を示す例であり、複数のＭＦＰには、外部記憶装置として、例えばハードディスク等を備え、該ハードディスク等に確保されている記憶領域をボックス領域として管理することで、ユーザが本位なデータをそれぞれのＭＦＰの外部記憶装置に分散格納することができるように構成されている。なお、ネットワーク１０５上では、所定のプロトコルでそれぞれのＭＦＰ１０１〜１０３とＰＣ１０４が通信可能に構成されている。
【００２８】
以下、図１におけるＭＦＰ１０１のハードウェアの詳細構成について図２を用いて説明する。尚、ＭＦＰ１０２，１０３の構成は、ＭＦＰ１０１と同様な構成、機能を有しているものとし、以降は特に記載がない限りは、ＭＦＰ１０１において実施例の説明を行う。
【００２９】
図２は、本発明に係る画像処理システムにおける画像処理装置の構成を説明するブロック図である。
【００３０】
図２において、ＭＦＰ１０１は、画像入力デバイスであるスキャナ部２０１と画像出力デバイスであるプリンタ部２０２、ＣＰＵ、メモリ等で構成される制御ユニット（Ｃｏｎｔｒｏｌｌｅｒ  Ｕｎｉｔ）２０４、ユーザーインターフェースである操作部２０３等を有する。
【００３１】
そして、制御ユニット２０４は、スキャナ部２０１、プリンタ部２０２、操作部２０３と接続し、一方では、ＬＡＮ２１９や一般の電話回線網である公衆回線（ＷＡＮ）２２０と接続することで、画像情報やデバイス情報の入出力を行うコントローラとして機能する。
【００３２】
ＣＰＵ２０５はシステム全体を制御するコントローラであり、ＲＯＭ２１０、ハードディスク２１１に記憶される制御プログラムをＲＡＭ２０６にロードして実行することで、各種の画像処理を制御する。なお、ＲＡＭ２０６は、ＣＰＵ２０５が動作するためのシステムワークメモリであり、画像データを一時記憶するための画像メモリとして機能する。
【００３３】
なお、ＲＯＭ２１０はブートＲＯＭであり、システムのブートプログラムが格納されている。ＨＤＤ２１１はハードディスクドライブで、システム制御ソフトウエア、画像データを格納する。
【００３４】
操作部Ｉ／Ｆ２０７は操作部（ＵＩ）２０３とのインタフェース部で、操作部２０３に表示するための画像データを操作部２０３に対して出力する。また、操作部２０３から本画像処理装置の使用者が入力した情報を、ＣＰＵ２０５に伝える役割をする。
【００３５】
ネットワーク（Ｎｅｔｗｏｒｋ）２０８は本画像処理装置をＬＡＮ２１９に接続し、パケット形式の情報の入出力を行う。モデム（ＭＯＤＥＭ）２０９は本画像処理装置を公衆回線２２０に接続し、情報の復調・変調を行い入出力を行う。以上のデバイスがシステムバス２２１上に配置される。
【００３６】
イメージバスインターフェース（Ｉｍａｇｅ  Ｂｕｓ  Ｉ／Ｆ）２１２はシステムバス２２１と画像データを高速で転送する画像バス２２２とを接続し、データ構造を変換するバスブリッジである。画像バス２２２は、例えば、ＰＣＩバスやＩＥＥＥ１３９４で構成される。
【００３７】
画像バス２２２上には以下のデバイスが配置される。
【００３８】
ラスターイメージプロセッサ（ＲＩＰ）２１３はＰＤＬコードを解析し、ビットマップイメージに展開する。デバイスＩ／Ｆ部２１４は、信号線２２３を介して画像入出力デバイスであるスキャナ部２０１、信号線２２４を介してプリンタ部２０２、をそれぞれ制御ユニット２０４に接続し、画像データの同期系／非同期系の変換を行う。
【００３９】
スキャナ画像処理部２１５は、入力画像データに対し補正、加工、編集を行う。プリンタ画像処理部２１６は、プリンタ部２０２に出力すべきプリント出力画像データに対して、プリンタ部２０２に応じた補正、解像度変換等を行う。画像回転部２１７は入力された画像データの回転を行い出力する。
【００４０】
画像圧縮部２１８は、多値画像データに対してはＪＰＥＧ圧縮伸長処理を行い、２値画像画像データに対してはＪＢＩＧ、ＭＭＲ、ＭＨの圧縮伸長処理を行う。以上が図１におけるＭＦＰ１０１のハードウェアの詳細構成である。
【００４１】
次に、図１におけるＰＣ１０４のハードウェア構成について図３を用いて説明する。
【００４２】
図３は、本発明に係る印刷システムにおけるデータ処理装置の構成を説明するブロック図であり、例えば図１に示したＰＣ１０４のハードウエア構成の一例に対応する。
【００４３】
図３において、ＰＣ１０４については、一般的なパーソナルコンピュータの構成、機能を有しており、周辺機器であるモニタ４０１、キーボードマウス４０２と、ＰＣ１０４全体を制御する中央処理装置ＣＰＵ４０３、アプリケーションやデータを記憶するハードディスク４０４、メモリ４０５等からなる。また、ネットワーク・インターフェース４０６を介してネットワーク１０５等の伝送媒体に接続されている。
【００４４】
また、ハードディスク４０４には、ネットワーク１０５上の複数のＭＦＰ１０１〜１０３のボックスデータを表示するためのボックス閲覧プログラムが格納されている。ボックス及びボックス閲覧プログラムについては後述する。
【００４５】
図４は、図２に示したハードディスク２１１の論理的な記憶領域を説明する概念図である。なお、本実施形態においては使用用途に応じてハードディスクの記憶領域をテンポラリ領域２００１とボックス領域２００２に論理的に分ける。
【００４６】
図４において、テンポラリ領域２００１は、画像データの出力順序を変えたり、複数部出力においても一回のスキャンで出力ができるようにするために、ＰＤＬの展開データやスキャナからの画像データを一時的に記憶する記憶領域である。ボックス領域２００２はボックス機能を使用するための記憶領域であり登録された数の小さな記憶領域（ボックス領域）２００３〜２００７に分割されている。
【００４７】
本実施形態において、ボックス操作は３つの機能に分かれている。ボックス登録は、パソコンなどのＰＣ４０１、４０２やスキャナユニット２１０からボックス領域を指定して画像を転送を行う。
【００４８】
ボックスプリントは、ボックス内のデータを指定してプリント出力を行う。ボックス送信は、ボックス内のデータを指定してＦＡＸ送信、インターネットＦＡＸ送信、Ｅ−ｍａｉｌ添付送信、リモートコピーへの送信を行う。
【００４９】
ボックス領域２００３〜２００７は、各ユーザや会社などの部署毎に割り当てられ、各ボックスにはボックス名とパスワードを付けることができる。ユーザはボックス名を指定することで各ボックスにアクセスすることができ、パスワードを入力しないと実際にボックスの中を見たり、出力や送信することはできないように制御される。
【００５０】
次に、図５を用いて図２の操作部２０３について説明を行う。
【００５１】
図５は、図２に示した操作部２０３の液晶表示の基本画面を示す説明図である。なお、本操作部２０３における画面はタッチパネルとなっており、それぞれ表示される機能の枠内を触れることにより、その機能が実行される。
【００５２】
図５において、コピーキー５０１は、複写動作を行う場合に押すキーであり、このキー５０１が押された（現在選択中として反転表示される）ときに、図５に示す基本画面が表示される。送信キー５０２は、送信動作を行う場合に押すキーであり、主に、ボックスに登録されているデータに対するＳＥＮＤやＦＡＸなどを行うときに使用する。
【００５３】
本実施形態において、ＳＥＮＤとは、ＭＦＰ１０１〜１０３のいずれかで生成したＪＰＥＧやＭＭＲ圧縮済みの画像データ等をネットワーク１０５を介して他の外部装置へ送信する動作であって、例えばネットワーク１０５上に接続されるＦＴＰサーバ等に該画像データをｆｔｐプロトコルで転送する等の処理を言う。なお、画像データの転送には、操作部２０３で、ｆｔｐサーバのＩＰアドレス等の設定がなされる。
【００５４】
ＢＯＸキー５０３は、ＭＦＰ１０１〜１０３のいずれかのハードディスク２１１に保存されているデータを表示、あるいは出力するとき等に押すキーである。このキーが押されたときに図６に示す画面が表示される。図６の詳細については後述する。
【００５５】
ウインドウ５０４には、メッセージやユーザ設定（倍率、用紙サイズ、枚数）が表示される。等倍キー５０５は、複写倍率を１００％にする際に押すキーである。また、不図示の縮小キー、拡大キーは、定型変倍の縮小、拡大を行う際に押すキーである。
【００５６】
ズームキー５０６は、倍率を例えば２５％〜８００％の間で設定するためのキーである。用紙選択キー５０７は、複写用紙の選択を行う際に押すキーである。濃度キー５０９は、濃度調整を行うためのキーであり、２つの濃度キー５０９のいずれかを押すと、濃度表示部５０８の濃度レベル表示が左右に変化する。ＡＥキー５１０は、新聞のように地肌の濃い原稿を自動濃度調整複写するときに押すキーである。
【００５７】
画像モードキー５１１を押すと、複写画像に対して網掛け、影つけ、トリミング、マスキングを行うための設定モードに入る。その他、不図示のユーザ環境の設定を行うユーザーモードキーや、ページ連写、両面複写、とじ代等の設定を行う拡張機能キーを有している。
【００５８】
次に、図６を用いて本実施形態のパーソナルボックスの操作方法について説明する。
【００５９】
図６は、図２に示した操作部２０３の液晶表示のボックス確認画面を示す説明図である。
【００６０】
なお、本実施形態において、パーソナルボックスとは、ＨＤＤ２１１内に画像データを蓄積するための領域を予め複数に分割した個々の領域の総称である。
【００６１】
図６において、６０１はメイン画面で、前述したように図５のＢＯＸキー５０３が押されたとき表示画面である。本画面例では、パーソナルボックスの数は、６０２に示すように、例えば「００〜９９」まで１００個用意され、それぞれ個人の所有する画像データが図２のハードディスク２１１内のパーソナルボックスに格納されている。
【００６２】
また、それぞれのパーソナルボックスの番号に対して名前が付けられ、例えば、ボックス番号００の場合、「Ａさん」という名前が付けられ、Ａさんの使用するボックスであることが明示できる。また、それぞれのボックスの欄の右端に表示されているパーセント表示は、全体のパーソナルボックス領域のハードディスク容量に対して、そのボックスが使用している割合を示す。
【００６３】
６０３はボックス番号００に保存されているジョブ（ドキュメントファイル）を見るためのボタンである。また、６０４〜６０６も同様のボタンである。なお、ボックスにデータの保存するための方法については後述する。
【００６４】
例えば、Ａさんが自分のボックス番号である「００」番にデータを保存している場合、自分の番号「００」のボタン６０３を押すと、図７に示すような画面が表示される。
【００６５】
６０７は上スクロールキーで、６０８は下スクロールキーあり、これらを押すことにより、ＣＰＵ２０５の表示制御に基づいて画面のスクロール表示でき、ボックス番号「００〜９９」の名前や使用容量を見ることができる。
【００６６】
図７は、図２に示した操作部２０３の液晶表示のボックス別データ一覧画面を示す説明図であり、Ａさんがボックス番号００に保存しているデータの一覧に対応する。
【００６７】
図７において、７０６〜７０８はボックス番号００に保存しているデータであって、例えば画像データ、アプリケーションファイル等に従う３つのデータ例にあげている。
【００６８】
データ７０６は、文書名７０１がＦｉｌｅ１、用紙サイズ７０２が、Ａ４、ページ数７０３が２ページ、時刻７０４（データを保存した時刻）が１２：３０であることを示している。
【００６９】
また、７０５は上／下スクロールキーであり、これらを押すことにより、ＣＰＵ２０５の表示制御で画面がスクロールでき、複数のデータが閲覧可能である。７０９は各データの詳細情報を見るためのボタンであり、例えば、データ７０６を選択した状態（図に示すように反転させた状態）で詳細情報のボタン７０９を押すと、図８に示すような画面が表示される（図８についての説明は、後述する。）。
【００７０】
図８において、７１０は各データをハードディスク２１１内のパーソナルボックスから消去するためのボタンである。７１１は各データを自装置から印刷出力するためのボタンである。７１２はパーソナルボックスにデータを保存するための方法の１つである。図２に示したスキャナ部２０１の原稿台に原稿をセットした状態で、原稿読み込みのボタン７１２を押すと原稿読み込み後、ラスターイメージデータに変換されて（または、その後、圧縮され）ハードディスク２１１上のパーソナルボックス（この場合、ボックス番号００）に保存される。
【００７１】
図８は、図２に示した操作部２０３の液晶表示のデータ別詳細画面を示す説明図である。
【００７２】
図８は、前述したように図７に示したデータ７０６の詳細情報であり、文書名８０１、日付８０２、時刻８０３、ページ数８０４、サイズ８０５、カラー／白黒８０６、解像度８０７、サムネイル８０８等が表示される。
【００７３】
本実施形態では、表示していないが、これ以外に、ＯＣＲなどで検出されたテキストデータなどを表示してもよい。尚、これらの詳細情報は、画像データと共にパーソナルボックスに保存されている。８０９はキャンセルボタンであり、このキャンセルボタン８０９を押すと、ＣＰＵ２０５の表示制御に基づいて、操作部２０３の表示画面が図７に示した表示画面に戻る。
【００７４】
次に、図９を用いてパーソナルボックスの概要について説明する。
【００７５】
図９は、図４に示したハードディスク２１１に確保されるボックス情報のデータ構造を説明する図であり、ハードディスク２１１には、図２で説明したシステム制御ソフトウエア、画像データが格納されるとともに、本実施形態におけるボックス機能を実行するためのテンポラリ領域２００１とパーソナルボックス領域２００３〜２００７が確保される。
【００７６】
なお、ハードディスク２１１は、画像データを一時的に格納し、ジョブ終了後にそれらの画像データを消去する領域であるテンポラリ領域２００１と、パーソナルボックス２００２に分けられている。
【００７７】
また、パーソナルボックス２００２は、ボックス９０３〜９０６のように区切って使用する。また、各パーソナルボックスにはそれぞれボックス番号が付いており、例えばボックス９０３，９０４，９０５，９０６は、それぞれボックス番号００，０１，０２，０３であり、各々、図６で説明したボックス番号に対応している。
【００７８】
パーソナルボックス９０３において、ボックス番号００は、Ａさん所有であり、アクセス権としてＩＤ、ＸＸＸＡ及びパスワードＸＸＸＡが登録されていることを示している。ここで、Ａさんが、ＭＦＰ１０１のパーソナルボックス２００２にデータを保存する処理について説明する。
【００７９】
本実施形態において、ハードディスク２１１のパーソナルボックス機能を有効とするためには、例えば始めにユーザであるＡさんは、不図示のＵＩ（ＭＦＰ１０１あるいは、ＰＣ１０４のＵＩ）からＭＦＰ１０１のボックス番号００に対してＩＤとパスワードのアクセス権登録を行う。
【００８０】
アクセス権の登録は、各ボックス番号（００〜９９）に対して行うことが可能である。これにより、ＭＦＰ１０１のボックス番号「００」の所有者はＡさんとなり、データの格納や閲覧、印刷といった権限を有する。
【００８１】
即ち、ボックス番号００のデータを格納、閲覧、印刷を行うときは、ＩＤとパスワードを不図示のＵＩ（ＭＦＰ１０１あるいは、ＰＣ１０４のＵＩ）に入力する必要がある。
【００８２】
そして、入力されたＩＤとパスワードは、ＭＦＰ１０１のＲＯＭ２１０などに格納されている認証プログラムによって先に登録したＩＤ、パスワードと照合される。
【００８３】
次に、Ａさんは、図７で説明した原稿読み込みボタン７１２より、ボックス番号「００」にデータを入れる。パーソナルボックス２００２にデータを入れる方法としては、この他、ＰＣ１０４上の電子データをネットワーク１０５を介していれる方法等があるが、詳細については省略する。
【００８４】
次に、図１０を用いてパーソナルボックス９０３の概要について説明を行う。
【００８５】
図１０は、図９に示したパーソナルボックス９０３（ボックス番号００）に格納されているデータを説明する図である。
【００８６】
図１０において、ＩＤ１００１及びパスワード１００２は、前述したようにＡさんが、パーソナルボックス２００２の（ボックス番号００）にアクセスするためのアクセス権情報であり、各種ページ情報１００３は、図８に示した８０１〜８０７の情報に相当する。
【００８７】
サムネイル画像１００４は、ユーザがパーソナルボックス２００２にデータをいれたときに、そのデータから生成されたものである。ここでは、サムネイル画像生成の過程の詳細については、省略する。
【００８８】
原画像１００５は、ユーザがパーソナルボックス２００２に入れたデータそのものであり、ラスタデータでもアプリケーションデータでもよい。以上のように、パーソナルボックス２００２では、各種ページ情報１００３、サムネイル画像１００４、原画像１００５を１つのファイル１００６として、複数のファイルを管理可能である。
【００８９】
次に、図１１、図１２に示すフローチャートを参照して、図１に示した画像処理システムにおけるパーソナルボックスの複数台閲覧処理動作について説明する。
【００９０】
図１１は、本発明に係る画像処理システムにおける第１のデータ処理手順の一例を示すフローチャートであり、図１に示したＰＣ１０４側のボックスデータ閲覧処理手順に対応する。なお、（１２０１）〜（１２０８）は各ステップを示し、各ステップは、図３に示したハードディスク４０４に記憶されるボックス閲覧プログラムをＣＰＵ４０３がメモリ４０５にロードして実行することで実現される。
【００９１】
本実施形態において、ＰＣ１０４のモニタ４０１に表示される一覧検索ＵＩからＭＦＰ１０１〜１０３のパーソナルボックスを閲覧する方法について説明する。本手法は、例として示すものであり、これに限るものではない。
【００９２】
また、一例として、ＭＦＰ１０１〜１０３のパーソナルボックス２００２には、図１２に示すようなパーソナルボック数領域が確保されているものとする。
【００９３】
図１２は、図１に示したＭＦＰ１０１〜１０３のハードディスク２１１に確保されるパーソナルボックス領域のデータ構造を説明する図であり、図１と同一のものには同一の符号を付してある。
図１２において、Ａさんは、ＭＦＰ１０１のボックス番号「００」、ＭＦＰ１０２のボックス番号「００」、ＭＦＰ１０３のボックス番号「０３」のアクセス権を上述した登録処理で所有している。ここで、ＡさんがＰＣ１０４を使用してＡさん所有のパーソナルボックスを閲覧するフローについて図１２を用いて説明する。
【００９４】
まず、ステップ（１２０１）で、Ａさんは、ＰＣ１０４のボックス閲覧プログラムを起動し、図１３しないウィザード等に従い登録されているＩＤ、パスワード入力後、表示要求をネットワーク１０５のＭＦＰ１０１〜１０３に対して送る。なお、認証情報は、これに限らず生体情報（指紋、角膜、静脈等）を利用するものであってもよい。
【００９５】
図１３は、図１に示したＰＣ１０４のモニタに表示される認証情報入力用のＵＩ画面の一例を示す図である。
【００９６】
図１３において、１３０１はＩＤ入力欄で、あらかじめ登録されたユーザ識別情報が入力される。１３０２はパスワード入力欄で、あらかじめ登録されたユーザ別のパスワードが入力される。１３０３は表示要求ボタンである。
【００９７】
次に、ステップ（１２０２）で、ボックス閲覧プログラムは、ＰＣ１０４が接続されているＬＡＮなどのネットワーク１０５上の全てのＭＦＰ１０１〜１０３へ、ボックスデータの取得要求を送信する。
【００９８】
なお、図１４に示すようなＭＦＰ１０１〜１０３、１０５とＩＰアドレスの対応テーブルを利用して、選択欄１４０１でＹｅｓとしたＭＦＰ１０１〜１０３、１０５中のいずれかのＭＦＰへ、ボックスデータの取得要求を選択的に送信することも可能である。
【００９９】
図１４は、図３に示したモニタ４０１に表示されるＭＦＰ選択画面の一例を示す図である。
【０１００】
ここで、ボックスデータとは、図１０に示した各種ページ情報１００３、サムネイル画像１００４である。
【０１０１】
次に、ステップ（１２０３）では、ステップ（１２０２）の取得要求に対して一定時間以内にネットワーク１０５上のいずれかのＭＦＰから応答があるか否かを判断する。
【０１０２】
ここで、ネットワーク１０５から応答があったと判断した場合は、ステップ（１２０４）へ進み、ＣＰＵ４０３が実行するボックス閲覧プログラムが応答がなかったと判断した場合は、ステップ１２０６へ進む。
【０１０３】
本例では、図１に示したネットワーク１０５に接続されているＭＦＰ１０１〜１０３より応答が得られる。また、ＭＦＰ１０１〜１０３側の応答送信等の処理に関しては、図１６等を参照して後述する。
【０１０４】
次に、ステップ（１２０４）では、応答のあったＭＦＰ１０１〜１０３に対してデータ要求を送信する。なお、この際、ＭＦＰ１０１〜１０３のうち、複数のＭＦＰから応答があった場合は、順にデータ要求送信を行うものとして、その状態をステップ（１２０９）として示す。これにより複数の応答があった場合のループバック処理が明確となる。
【０１０５】
次に、ステップ（１２０５）で、ステップ（１２０４）でＭＦＰに要求したデータの受信を順に行う。
【０１０６】
具体的には、ＭＦＰ１０１のボックス番号「００」のデータ、ＭＦＰ１０２のボックス番号「００」のデータ、ＭＦＰ１０３のボックス番号「０３」のデータを受信する。
【０１０７】
ここで、データの受信とは、ＰＣ１０４のローカルなハードディスク４０４にデータを保存することを意味する。
【０１０８】
次に、ステップ（１２０６）では、受信したボックスデータがあるか否かをＣＰＵ４０３が実行するボックス閲覧プログラムが判断する。そして、ＣＰＵ４０３が実行するボックス閲覧プログラムが受信したボックスデータがあると判断した場合は、ステップ（１２０８）で、図１５に示すようなボックスデータ閲覧画面の表示を行い、受信したボックスデータがなかった場合は、ステップ１２０７でその旨を表示する。
【０１０９】
図１５は、図１に示したＰＣ１０４のモニタに集約されて表示される同一ＩＤで複数のＭＦＰに分散登録されている登録データの検索結果一覧を示す図であり、ＣＰＵ４０３が実行するボックス閲覧プログラムによりモニタ４０１に表示される。
【０１１０】
一方、ＭＦＰ１０１の処理についての説明を図１６を用いて行う。ここで、ＭＦＰ１０２，１０３については、ＭＦＰ１０１と同様の処理が行われるため説明を省略する。
【０１１１】
図１６は、本発明に係る画像処理システムにおける画像処理装置側のデータ処理手順の一例を示すフローチャートであり、ネットワーク１０５に接続されるＰＣ１０４からのボックスデータ情報を取得処理に基づく応答処理手順に対応する。なお、（１５０１）〜（１５０６）は各ステップを示し、各ステップは、図２に示したＣＰＵ２０５がハードディスク２１１等に記憶されるボックス機能処理プログラムをＲＡＭ２０６にロードして実行することで実現される。
【０１１２】
ＭＦＰ１０１は、任意の外部装置（例えば図１に示したネットワークＰＣ１０４）からボックスデータの取得要求（前述した図１１に示したステップ（１２０２）で送信される情報）があるか否かを監視している。そして、ボックスデータの取得要求を受信したと判断した場合、ステップ（１５０２）へ進み、前述した図１１に示したステップ（１２０３）の判断基準となる応答送信を行う。
【０１１３】
次に、ネットワーク１０５上のＰＣ１０４からハードディスク２１１のボックス領域に登録されているデータの要求があるか否かを監視して、図１１に示したステップ（１２０４）のデータ要求（前述したステップ（１２０４）で送信される情報）を受信したとＣＰＵ２０５判断した場合、ステップ（１５０３）で、ステップ（１５０４）へ進む。
【０１１４】
一方、ステップ（１５０１）でボックスデータの取得要求、またはステップ（１５０３）で、データ要求がなかったとＣＰＵ２０５が判断した場合には、ステップ（１５０１）の監視状態に戻る。
【０１１５】
次に、ステップ（１５０４）で、ＰＣ１０４から送信されているデータを受信し、そのデータであるＩＤ情報とパスワードの認証を、ハードディスク２１１に登録されているものとを照合して行う。
【０１１６】
ここで、ＩＤ情報とパスワードとは、図１１に示したステップ（１２０１）で入力された情報であり、ステップ（１２０２）、または、ステップ（１２０４）の送信情報中に含まれている。
【０１１７】
この例では、ＡさんのＩＤとパスワードは、ＩＤ＝ＸＸＸＡ、パスワード＝ＸＸＸＡである。
【０１１８】
そして、例えばＭＦＰ１０１のＲＯＭ２１０に格納されている認証プログラムによって認証が行われる。
【０１１９】
本認証では、図１０で説明した、ハードディスク２１１に確保されているパーソナルボックス２００２に格納されているＩＤ、パスワードの照合などが行われる。
【０１２０】
ここで、認証がＯＫであったとＣＰＵ２０５が実行する認証プログラムが判断した場合は、ステップ（１５０５）で対応するＩＤのボックス領域に登録データがあるか否かを判断する。そして、登録データがあると判断した場合には、ステップ（１５０６）で、登録されているデータをボックス領域から読み出して、ネットワーク１０５を介してＰＣ１０４に送信して、本処理を終了する。
【０１２１】
ここで、ＭＦＰ１０１では、ＩＤ＝ＸＸＸＡをもつボックス番号は、ボックス００であるため、ハードディスク２１１のボックス領域２００２のボックス「００」のデータを送信する。
【０１２２】
また、ＭＦＰ１０２では、ボックス「００」のデータ、ＭＦＰ１０３では、ボックス「０３」のデータを同様の手順に従い送信する。
【０１２３】
さらに、ＩＤに対応するボックス領域２００２上に登録されているデータが無かったと判断した場合、あるいは、ＰＣ１０４から受信したＩＤとパスワードとの認証がＮＧであったと判断した場合は、データ未送信で、処理を終了する。
【０１２４】
なお、ＩＤに対応するボックス領域２００２上に登録されているデータが無かったと判断した場合、あるいは、ＰＣ１０４から受信したＩＤとパスワードとの認証がＮＧであったと判断した場合は、例えば、データ取得失敗などの情報を、ＰＣ１０４等に送信してもよい。そして、本処理を終了すると、再び図１６に示したスタートに戻る。
【０１２５】
以上、図１１、図１６で説明したフローにより、ＰＣ１０４のＣＰＵ４０３の表示制御によりモニタ４０１に表示されるＵＩからＭＦＰ１０１〜１０３のパーソナルボックスに登録したデータの内容をリモートで閲覧可能となる。
【０１２６】
なお、図１５に示すリモート検索処理画面において、削除等のボタンを設けて、策男指示された文書名に対する削除コマンドを所在に対応するいずれかのＭＦＰに送信して、適宜削除してパーソナルボックスの登録データの内容を更新できるように構成してもよい。
【０１２７】
さらに、移動等を指示するボタンを設けて、選択されるパーソナルボックスの登録データを特定のＭＦＰのパーソナルボックスに集約するようにデータ登録とデータ削除とを相互に行うことで、パーソナルボックスのデータ整理をリモートで行えるように構成して、ユーザの便宜を図ってもよい。
【０１２８】
また、図１５に示す画面上に、編集ボタンを設けて、分散されたファイルを１つのファイルの統合して、いずれかのＭＦＰのパーソナルボックス領域に新規登録できるように構成してもよく、その際、意図する印刷条件を付加してもよい。
【０１２９】
次に、図１５を用いてボックスデータ閲覧画面について説明を行う。
【０１３０】
図１５において、１６０１は前記ＰＣ１０４のボックス閲覧プログラムにより生成された分散登録データ一覧画面であり、モニタ４０１に表示される。
【０１３１】
１６０２は文書名、１６０３は用紙サイズ、１６０４はページ、１６０５は時刻である。１６０６はファイルの所在（どのＭＦＰのボックスのファイルか）を表し、例えば、文書名Ｆｉｌｅ００１は、ＭＦＰ１０１に在ることを示している。この他、不図示のボックス番号などを表示しておいてもよい。なお、所在１６０６に関する情報は、内部的には、ＩＰアドレスと対応付けられている。１６０７はスクロールキーである。
【０１３２】
１６０８〜１６１１は各ボタンであり、それぞれ特定の命令に割り当てられており、図１７のフローチャートを用いて説明を行う。
【０１３３】
図１７は、本発明に係る画像処理システムにおけるデータ処理装置側の第２のデータ処理手順の一例を示すフローチャートであり、ネットワーク１０５に接続されるＰＣ１０４からのボックスデータ情報を取得したデータに対する画像処理手順に対応する。なお、（１８０１）〜（１８１０）は各ステップを示し、各ステップは、図２に示したＣＰＵ２０５がハードディスク２１１等に記憶されるボックス機能処理プログラムをＲＡＭ２０６にロードして実行することで実現される。
【０１３４】
まず、ステップ（１８０１）において、文書名１６０２をＰＣ１０４の有するキーボードマウス４０２でポイントするなどして所望のファイルデータを選択する。
【０１３５】
次に、ステップ（１８０２）にて、図１５に示したボタン１６０８〜１６１５に対応する命令を待ち、命令ありと判断された場合に、その命令に従うインデックスプリント、またはプリント処理を行う（１８０３）。この判断は、例えばプリントボタン１６０８または、インデックスボタン１６０９が押されたとＣＰＵ４０３が判断することにより実現される。そして、ステップ（１８０４）にて、不図示の印刷先指定画面から印刷先を指定し、ステップ（１８０５）で、指定されたＭＦＰから印刷を行う。
【０１３６】
ここで、例えば、図１５に示すＦｉｌｅ００１（所在ＭＦＰ１０１）を選択して、印刷先としてＭＦＰ１０１を指定する時は、自装置のハードディスクにあるデータを自装置のプリンタから出力する処理となる。
【０１３７】
また、Ｆｉｌｅ００４（所在ＭＦＰ１０２）を選択して、印刷先としてＭＦＰ１０１を指定する時は、ＭＦＰ１０２のハードディスクのデータＦｉｌｅ００４をＭＦＰ１０１へ送信して出力するという処理が必要となる。
【０１３８】
また、図１６に示すフローチャートでは不図示であるが、選択するファイルデータは、複数でもよく、具体的には、Ｆｉｌｅ００１、Ｆｉｌｅ００２、Ｆｉｌｅ００３を選択しておき、それぞれをＭＦＰ１０１、ＭＦＰ１０２、ＭＦＰ１０３へ出力するといったことも可能である。
【０１３９】
一方、図１５に示す画面において、インデックスプリントボタン１６０９が押された場合は、図１５で表示される全ファイル（または、ステップ（１８０１）で選択したファイル）のインデックスが印刷先のＭＦＰから出力される。この際のインデックスプリントの出力例を図１８に示す。
【０１４０】
図１８は、図１に示したＭＦＰから出力されるインデックスプリント結果例を示す図である。なお、フォーマットは、デフォルトであっても、ユーザ設定されているものであってもよい。
【０１４１】
一方、ステップ（１８０２）で、図１５に示した保存ボタン１６１０が押されたとＣＰＵ４０３が判断した場合、ステップ（１８０６）に進み保存処理を開始して、ステップ（１８０７）にてダウンロードを行い、本処理を終了する。
【０１４２】
具体的には、図１１、図１６に示すフローチャートにおいて、ボックス閲覧プログラムで取得するデータは、図１０に示した各種ページ情報１００３、サムネイル画像１００４であり、データの原画像は、取得しない。つまり、保存ボタン１６１０は、データの原画像データの取得を要求するボタンとして機能する。
【０１４３】
次に、図１５に示した移動ボタン１６１１が押された場合、ステップ（１８０２）からステップ（１８０８）へ進み、移動処理を開始して、ステップ（１８０９）にて、不図示の移動先指定画面から移動先を１または任意数指定し、ステップ（１８１０）で移動処理を行い、本処理を終了する。
【０１４４】
これにより、例えば、Ｆｉｌｅ００４（所在ＭＦＰ１０２）を選択して、移動先としてＭＦＰ１０１のボックス番号「ＸＸ」を指定する時は、ＭＦＰ１０２のハードディスク４０４のデータＦｉｌｅ００４をＭＦＰ１０１のボックス番号「ＸＸ」へ移動する処理となる。
【０１４５】
以上、図１５に示した各ボタン１６０８〜１６１１について説明してきたが、その他、選択したデータを削除する処理などが考えられる。
【０１４６】
次に、ボタン１６１２〜１６１５における機能処理についての説明を順に行う。
【０１４７】
サムネイルボタン１６１２は、表示形式をサムネイル１７０１〜１７０３で行うものであり、これを指定すると、図１９のような画面がＣＰＵ４０３の表示制御に基づいてモニタ４０１上に表示される。
【０１４８】
図１９は、図３に示したモニタ４０１上に表示されるサムネイル処理画面の一例を示す図である。なお、図１５と同一のものには同一の符号を付してある。
【０１４９】
図１９において、詳細情報ボタン１６１３は、図８で説明したような、ファイルについての詳細情報を表示するためのボタンである。検索ボタン１６１４は、ファイル名や日付のようなキーワードにより、ファイルを検索して表示するためのボタンで、保有するファイル数が多いときなどに使用する。
【０１５０】
検索ボタン１６１４を押すと不図示の検索画面が現れ、そこに入力したキーワードに適合するファイルが表示される。ソートボタン１６１５は、ファイルのソートで名前順、日付順などに並び替えるためのボタンである。
【０１５１】
以上の説明により、複数のＭＦＰのパーソナルボックスのデータを同一のＵＩ上に表示することで、それらの閲覧やプリント、移動などの処理ができ、ファイル管理を容易に行うことが可能になる。
【０１５２】
〔第２実施形態〕
上述の第１実施形態では、ＰＣ１０４のＣＰＵ４０３がハードディスク４０４に記憶されるボックス閲覧プログラムをメモリ４０５にロードして実行することにより、複数のＭＦＰ１０１〜１０３の複数のボックスデータを同一ＵＩに表示する例を示したが、ＭＦＰ１０１〜１０３が有するボックス閲覧プログラムで、ＭＦＰ１０１〜１０３の操作部２０３上で、他のＭＦＰに対して、第１実施形態におけるＰＣ１０４の機能処理を同様の表示制御で行うことも可能である。
【０１５３】
尚、実施形態におけるＭＦＰのハードウェア構成は、第１実施形態と同様であり、例えば、ボックス閲覧プログラムは、図２のＲＯＭ２１０に格納されているものとする。
【０１５４】
また、本実施形態におけるシステムの構成としては、図２０に示すような複数のＭＦＰだけからなる構成で可能である。
【０１５５】
図２０は、本発明の第２実施形態を示す画像処理システムの一例を示す図であり、図１と同一のものには同一の符号を付してある。
【０１５６】
図２０において、例えば、ＭＦＰ２００１の操作部２０３上で、ボックス閲覧プログラムを起動させ、自装置ＭＦＰ２００１とＭＦＰ２００２及びＭＦＰ２００３のパーソナルボックスのデータを図１５及び図１９に示す画面で表示する。
【０１５７】
〔第３実施形態〕
上述の第１実施形態では、ＭＦＰ１０１〜１０３のパーソナルボックスに対してアクセス権をもつユーザを中心に説明を行ったが、アクセス権のないパブリックなパーソナルボックスのデータを取得し、表示させることも当然、可能である。
【０１５８】
〔第４実施形態〕
上述の第１実施形態では、ＬＡＮなどのネットワークに接続された複数のＭＦＰのパーソナルボックスのデータを表示する例を示したが、各々のＭＦＰは、ＷＡＮ等を介してコンビニなどの遠隔地に設置されるものであってもよい。
【０１５９】
〔第５実施形態〕
上記実施形態では、図１４に示す選択画面で、複数のＭＦＰ１０１〜１０３、１０５等からパーソナルボックスに登録されているデータを取得する場合について説明したが、図１３に示す画面において、使用する各ＭＦＰで登録したデータ量に従う優先順位で、図１４に示す選択画面を表示したり、図１３に示す画面において、ユーザが操作した機能等の属性を加えて、例えば両面ユニットを備えるＭＦＰを選択候補として図１４に表示制御したりするように構成して、ユーザのＭＦＰ選択条件をカスタマイズできるようにしてもよい。
【０１６０】
上記各実施形態によれば、複数の画像処理装置（ＭＦＰ）のパーソナルボックスのデータを同一ＵＩ上に表示することで、個人が保有するデータを容易に管理することが可能となる。また、表示したデータに対して印刷、移動、削除及び、インデックスプリントのように印刷出力することも可能である。
【０１６１】
また、ホストコンピュータまたは、任意の１台のＭＦＰのユーザーインターフェースから複数のＭＦＰのユーザがアクセス権を有しているパーソナルボックスに格納されているデータの取得要求を行い、応答のあったＭＦＰのパーソナルボックスデータ（各種ページ情報やサムネイル画像）を前述したホストコンピュータまたは、任意の１台のＭＦＰの記憶領域に保存し、前述したユーザーインターフェースに表示することが可能となる。
【０１６２】
以下、図２１に示すメモリマップを参照して本発明に係る画像処理システムで読み取り可能なデータ処理プログラムの構成について説明する。
【０１６３】
図２１は、本発明に係る画像処理システムで読み取り可能な各種データ処理プログラムを格納する記憶媒体のメモリマップを説明する図である。
【０１６４】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１６５】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１６６】
本実施形態における図１１，図１６，図１７に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１６７】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１６８】
この場合、記憶媒体から読み出されたプログラムコード自体が本発明の新規な機能を実現することになり、そのプログラムコードを記憶した記憶媒体は本発明を構成することになる。
【０１６９】
従って、プログラムの機能を有していれば、オブジェクトコード、インタプリタにより実行されるプログラム、ＯＳに供給するスクリプトデータ等、プログラムの形態を問わない。
【０１７０】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１７１】
この場合、記憶媒体から読出されたプログラムコード自体が前述した実施形態の機能を実現することになり、そのプログラムコードを記憶した記憶媒体は本発明を構成することになる。
【０１７２】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１７３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１７４】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１７５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１７６】
本発明は上記実施形態に限定されるものではなく、本発明の趣旨に基づき種々の変形（各実施形態の有機的な組合せを含む）が可能であり、それらを本発明の範囲から排除するものではない。
【０１７７】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜２１について説明する。
【０１７８】
〔実施態様１〕
互いに複数の記憶領域を有する記憶手段を有す複数の画像処理装置とデータ処理装置とが通信可能な画像処理システムであって、前記データ処理装置（例えば図３に示すＰＣ１０４）は、前記複数の画像処理装置の前記複数の記憶領域に格納されているデータを表示要求する表示要求手段（図３に示すハードディスク４０４に記憶される制御プログラムをＣＰＵ４０３が実行することで要求処理する）と、前記表示要求手段により表示要求された複数のデータを取得する取得手段（図３に示すハードディスク４０４に記憶される制御プログラムをＣＰＵ４０３が実行することで取得処理する）と、前記取得手段により取得されるいずれかの画像処理装置に格納されている複数のデータの一覧を表示する表示手段（図３に示すハードディスク４０４に記憶される制御プログラムをＣＰＵ４０３が実行することでモニタ４０１に対して表示処理する）とを備えることを特徴とする画像処理システム。
【０１７９】
これにより、リモートのデータ処理装置からネットワーク上の複数の画像処理装置の記憶領域に分散して登録されている同一ユーザのデータの所在を確認することができる。
【０１８０】
〔実施態様２〕
互いに複数の記憶領域を有する記憶手段を有す複数の画像処理装置とが通信可能な画像処理システムであって、各画像処理装置は、
前記複数の画像処理装置の前記複数の記憶領域に格納されているデータを表示要求する表示要求手段（図２に示すＣＰＵ２０５がハードディスク２１１に記憶される制御プログラムを実行して要求処理する）と、前記表示要求手段により表示要求された複数のデータを取得する取得手段（図２に示すＣＰＵ２０５がハードディスク２１１に記憶される制御プログラムを実行して取得処理する）と、前記取得手段により取得されるいずれかの画像処理装置に格納されている複数のデータの一覧を表示する表示手段（図２に示すＣＰＵ２０５がハードディスク２１１に記憶される制御プログラムを実行して表示処理する）と、
を備えることを特徴とする画像処理システム。
【０１８１】
これにより、ネットワーク上のいずれかの画像処理装置からネットワーク上の他の複数の画像処理装置の記憶領域に分散して登録されている同一ユーザのデータの所在を確認することができる。
【０１８２】
〔実施態様３〕
前記複数の画像処理装置は、互いにネットワーク通信手段を備え、ネットワークで接続されていることを特徴とする実施態様１または２記載の画像処理システム。
【０１８３】
これにより、ネットワーク上の画像処理装置またはデータ処理装置から他の複数の画像処理装置の記憶領域に分散して登録されている同一ユーザのデータの所在を通信で取得してその内容を確認することができる。
【０１８４】
〔実施態様４〕
前記複数の画像処理装置が備える複数の記憶領域は、ユーザ別に確保されるパーソナルボックス領域で確保されていることを特徴とする実施態様１または２記載の画像処理システム。
【０１８５】
これにより、他の複数の画像処理装置の記憶領域に分散して登録されている同一ユーザのデータの所在一覧を確認することができる。
【０１８６】
〔実施態様５〕
前記複数の画像処理装置は、互いに前記パーソナルボックスへのアクセス権を設定するための登録手段を有することを特徴とする実施態様１または２記載の画像処理システム。
【０１８７】
これにより、他の複数の画像処理装置の記憶領域に分散して登録されているアクセス権限のある同一ユーザのデータの所在一覧を確認することができる。
【０１８８】
〔実施態様６〕
前記登録手段は、アクセス権としてＩＤとパスワードを登録することを特徴とする実施態様１または２記載の画像処理システム。
【０１８９】
これにより、ＩＤとパスワードを入力することで、他の複数の画像処理装置の記憶領域に分散して登録されているアクセス権限のある同一ユーザのデータの所在一覧を確認することができる。
【０１９０】
〔実施態様７〕
前記複数の画像処理装置は、互いに前記登録手段で登録したアクセス権を認証するための認証手段を備えることを特徴とする実施態様１または２記載の画像処理システム。
【０１９１】
これにより、他の複数の画像処理装置の記憶領域に分散して登録されているアクセス権限のある同一ユーザを認証しながら、対応するユーザのデータの所在一覧を確認することができる。
【０１９２】
〔実施態様８〕
複数のパーソナルボックス領域には、各種ページ情報、サムネイル画像、原画像などを格納可能であることを特徴とする実施態様１または２記載の画像処理システム。
【０１９３】
これにより、他の複数の画像処理装置の記憶領域に分散して登録されているアクセス権限のある同一ユーザのデータである各種ページ情報、サムネイル画像、原画像等を確認することができる。
【０１９４】
〔実施態様９〕
前記表示要求手段は、前記複数の画像処理装置の前記アクセス権を有するパーソナルボックスに対して表示要求を行うことを特徴とする実施態様１または２記載の画像処理システム。
【０１９５】
これにより、他の複数の画像処理装置の記憶領域に分散して登録されているアクセス権限のある同一ユーザを認証しながら、パーソナルボックスに格納されている対応するユーザのデータの所在一覧を確認することができる。
【０１９６】
〔実施態様１０〕
前記表示要求手段は、前記複数の画像処理装置中から選択されているいずれかの画像処理装置のうち、前記アクセス権を有するパーソナルボックスに対して表示要求を行うことを特徴とする実施態様１または２記載の画像処理システム。
【０１９７】
これにより、他の複数の画像処理装置の記憶領域に分散して登録されているアクセス権限のある同一ユーザを認証しながら、パーソナルボックスに格納されている対応するユーザのデータの所在一覧を確認することができる。
【０１９８】
〔実施態様１１〕
前記取得手段は、前記表示要求手段により表示要求した画像処理装置から応答があった場合に、パーソナルボックス領域に格納されているデータをダウンロードすることを特徴とする実施態様１または２記載の画像処理システム。
【０１９９】
これにより、他の複数の画像処理装置の記憶領域に分散して登録されているアクセス権限のある同一ユーザを認証しながら、パーソナルボックスに格納されている対応するユーザのデータをダウンロードして所在一覧を確認することができる。
【０２００】
〔実施態様１２〕
前記表示手段は、前記取得手段によりダウンロードされる複数のデータの一覧を画像処理装置の所在とともに表示することを特徴とする実施態様１または２記載の画像処理システム。
【０２０１】
これにより、他の複数の画像処理装置の記憶領域に分散して登録されているアクセス権限のある同一ユーザを認証しながら、パーソナルボックスに格納されている対応するユーザのデータをダウンロードして所在一覧を確認することができる。
【０２０２】
〔実施態様１３〕
前記表示手段により、表示されたデータに対して、印刷、移動、削除などの制御命令を与える命令手段を備えることを特徴とする実施態様１または２記載の画像処理システム。
【０２０３】
これにより、他の複数の画像処理装置の記憶領域に分散して登録されているアクセス権限のある同一ユーザを認証しながら、パーソナルボックスに格納されている対応するユーザのデータをダウンロードして直接処理する命令をデータ一覧表示しているデータ処理装置あるいは画像処理装置から直接指示できる。
【０２０４】
〔実施態様１４〕
互いに複数の記憶領域を有する記憶手段を有す複数の画像処理装置とデータ処理装置とが通信可能な画像処理システムにおける画像処理方法であって、前記データ処理装置は、前記複数の画像処理装置の前記複数の記憶領域に格納されているデータを表示要求する表示要求ステップ（図１１に示すステップ（１２０１），（１２０４））と、前記表示要求ステップにより表示要求された複数のデータを取得する取得ステップ（図１１に示すステップ（１２０５））と、前記取得ステップにより取得されるいずれかの画像処理装置に格納されている複数のデータの一覧を表示する表示ステップ（図１１に示すステップ（１２０８））とを備えることを特徴とする画像処理方法。
【０２０５】
これにより、実施態様１と同等の効果が期待できる。
【０２０６】
〔実施態様１５〕
互いに複数の記憶領域を有する記憶手段を有す複数の画像処理装置とが通信可能な画像処理システムにおける画像処理方法であって、各画像処理装置は、前記複数の画像処理装置の前記複数の記憶領域に格納されているデータを表示要求する表示要求ステップ（図１１に示すステップ（１２０１），（１２０４））と、前記表示要求ステップにより表示要求された複数のデータを取得する取得ステップ（図１１に示すステップ（１２０５））と、前記取得ステップにより取得されるいずれかの画像処理装置に格納されている複数のデータの一覧を表示する表示ステップ（図１１に示すステップ（１２０８））とを備えることを特徴とする画像処理方法。
【０２０７】
これにより、実施態様２と同等の効果が期待できる。
【０２０８】
〔実施態様１６〕
互いに複数の記憶領域を有する記憶手段を有す複数の画像処理装置と通信可能なデータ処理装置であって、前記複数の画像処理装置の前記複数の記憶領域に格納されているデータを表示要求する表示要求手段（図１１に示すステップ（１２０１），（１２０４））と、前記表示要求手段により表示要求された複数のデータを取得する取得手段と、前記取得手段により取得されるいずれかの画像処理装置に格納されている複数のデータの一覧を表示する表示手段（図１１に示すステップ（１２０８））とを備えることを特徴とするデータ処理装置。
【０２０９】
これにより、実施態様１と同等の効果を奏する。
【０２１０】
〔実施態様１７〕
複数の記憶領域を有する第１の記憶手段を有し、互いに複数の記憶領域を有する第２の記憶手段を有する他の画像処理装置と通信可能な画像処理装置であって、前記他の画像処理装置の前記複数の記憶領域に格納されているデータを表示要求する表示要求手段（図１１に示すステップ（１２０１），（１２０４））と、前記表示要求手段により表示要求された複数のデータを取得する取得手段（図１１に示すステップ（１２０５））と、前記取得手段により取得されるいずれかの画像処理装置に格納されている複数のデータの一覧を表示する表示手段（図１１に示すステップ（１２０８））とを備えることを特徴とする画像処理装置。
【０２１１】
これにより、実施態様２と同等の効果を奏する。
【０２１２】
〔実施態様１８〕
互いに複数の記憶領域を有する記憶手段を有す複数の画像処理装置と通信可能なデータ処理装置における画像処理方法であって、
前記複数の画像処理装置の前記複数の記憶領域に格納されているデータを表示要求する表示要求ステップ（図１１に示すステップ（１２０１），（１２０４））と、前記表示要求ステップにより表示要求された複数のデータを取得する取得ステップ図１１に示すステップ（１２０５））と、前記取得ステップにより取得されるいずれかの画像処理装置に格納されている複数のデータの一覧を表示する表示ステップ（図１１に示すステップ（１２０８））とを備えることを特徴とする画像処理方法。
【０２１３】
これにより、実施態様１と同等の効果を奏する。
【０２１４】
〔実施態様１９〕
複数の記憶領域を有する第１の記憶手段を有し、互いに複数の記憶領域を有する第２の記憶手段を有する他の画像処理装置と通信可能な画像処理装置における画像処理方法であって、前記他の画像処理装置の前記複数の記憶領域に格納されているデータを表示要求する表示要求ステップ（図１１に示すステップ（１２０１），（１２０４））と、前記表示要求ステップにより表示要求された複数のデータを取得する取得ステップ図１１に示すステップ（１２０５））と、前記取得ステップにより取得されるいずれかの画像処理装置に格納されている複数のデータの一覧を表示する表示ステップ（図１１に示すステップ（１２０８））とを備えることを特徴とする画像処理方法。
【０２１５】
これにより、実施態様１と同等の効果を奏する。
【０２１６】
〔実施態様２０〕
実施態様１４、１５、１８、１９のいずれかに記載の画像処理方法を実行させるためのプログラムを格納したことを特徴とするコンピュータが読み取り可能な記憶媒体。
【０２１７】
これにより、実施態様１４、１５、１８、１９と同等の効果を奏する。
【０２１８】
〔実施態様２１〕
実施態様１４、１５、１８、１９のいずれかに記載の画像処理方法をコンピュータに実行させることを特徴とするプログラム。
【０２１９】
これにより、実施態様１４、１５、１８、１９と同等の効果を奏する。
【図面の簡単な説明】
【０２２０】
【図１】本発明の第１実施形態を示す画像処理システムの構成を示す概略図である。
【図２】本発明に係る画像処理システムにおける画像処理装置の構成を説明するブロック図である。
【図３】本発明に係る印刷システムにおけるデータ処理装置の構成を説明するブロック図である。
【図４】、図２に示したハードディスクの論理的な記憶領域を説明する概念図である。
【図５】図２に示した操作部の液晶表示の基本画面を示す説明図である。
【図６】図２に示した操作部の液晶表示のボックス確認画面を示す説明図である。
【図７】図２に示した操作部の液晶表示のボックス別データ一覧画面を示す説明図である。
【図８】図２に示した操作部の液晶表示のデータ別詳細画面を示す説明図である。
【図９】図４に示したハードディスクに確保されるボックス情報のデータ構造を説明する図である。
【図１０】図９に示したパーソナルボックスに格納されているデータを説明する図である。
【図１１】本発明に係る画像処理システムにおける第１のデータ処理手順の一例を示すフローチャートである。
【図１２】図１に示したＭＦＰのハードディスクに確保されるパーソナルボックス領域のデータ構造を説明する図である。
【図１３】図１に示したＰＣのモニタに表示される認証情報入力用のＵＩ画面の一例を示す図である。
【図１４】図３に示したモニタに表示されるＭＦＰ選択画面の一例を示す図である。
【図１５】図１に示したＰＣ１０４のモニタに集約されて表示される同一ＩＤで複数のＭＦＰに分散登録されている登録データの検索結果一覧を示す図である。
【図１６】本発明に係る画像処理システムにおける画像処理装置側のデータ処理手順の一例を示すフローチャートである。
【図１７】本発明に係る画像処理システムにおけるデータ処理装置側の第２のデータ処理手順の一例を示すフローチャートである。
【図１８】図１に示したＭＦＰから出力されるインデックスプリント結果例を示す図である。
【図１９】図３に示したモニタ上に表示されるサムネイル処理画面の一例を示す図である。
【図２０】本発明の第２実施形態を示す画像処理システムの一例を示す図である。
【図２１】本発明に係る画像処理システムで読み取り可能な各種データ処理プログラムを格納する記憶媒体のメモリマップを説明する図である。
【符号の説明】
【０２２１】
１０１〜１０３  ＭＦＰ
１０４  ＰＣ
４０１  モニタ
４０３  ＣＰＵ
４０５  メモリ
【図１】
2006333302.tif 000003
【図２】
2006333302.tif 000004
【図３】
2006333302.tif 000005
【図４】
2006333302.tif 000006
【図５】
2006333302.tif 000007
【図６】
2006333302.tif 000008
【図７】
2006333302.tif 000009
【図８】
2006333302.tif 000010
【図９】
2006333302.tif 000011
【図１０】
2006333302.tif 000012
【図１１】
2006333302.tif 000013
【図１２】
2006333302.tif 000014
【図１３】
2006333302.tif 000015
【図１４】
2006333302.tif 000016
【図１５】
2006333302.tif 000017
【図１６】
2006333302.tif 000018
【図１７】
2006333302.tif 000019
【図１８】
2006333302.tif 000020
【図１９】
2006333302.tif 000021
【図２０】
2006333302.tif 000022
【図２１】
2006333302.tif 000023